(57)【要約】      （修正有）【課題】メンテナンス性に優れた構造のメディア処理装置を提供する。【解決手段】メディア処理装置は、メディア保管部２１と、メディアドライブ５１と、レーベルプリンタ１１と、メディア搬送機構３１と、インク供給機構７１とを有し、装置の内部が、ベースフレーム、左サイドフレーム、右サイドフレーム、前トップフレーム、後トップフレーム、バックフレーム、後方上下の仕切りフレーム、前後の仕切りフレームにより覆われるとともに後方上部の区画Ａ１、後方下部の区画Ａ２、前方右部の区画Ａ３、前方左部の区画Ａ４に区画され、レーベルプリンタ１１は後方下部の区画Ａ２に配置され、メディアドライブ５１は後方上部の区画Ａ１に配置され、インク供給機構７１は前方右部の区画Ａ３に配置され、メディア保管部２１は前方左部の区画Ａ４に配置されている。【選択図】図２
2008108310.tif 000002
【特許請求の範囲】
【請求項１】
円板状のメディアを保管するメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、前記レーベルプリンタにインクを供給するインク供給機構と、を有するメディア処理装置であって、
当該装置の内部が、複数の板状フレームにより覆われるとともに複数に区画され、
前記レーベルプリンタは、当該装置の後方下部の区画に配置され、
前記メディアドライブは、当該装置の後方上部の区画に配置され、
前記インク供給機構と前記メディア保管部が、当該装置の前方の区画に配置されていることを特徴とするメディア処理装置。
【請求項２】
請求項１に記載のメディア処理装置であって、
前記インク供給機構と前記メディア保管部は、それぞれ別の区画に配置されており、
当該装置の前面には、前記インク供給機構用の開閉扉と、前記メディア保管部用の開閉扉が設けられていることを特徴とするメディア処理装置。
【請求項３】
請求項１または２に記載のメディア処理装置であって、
前記メディアドライブが配置された区画内には、電源部と冷却ファンが配置されていることを特徴とするメディア処理装置。
【請求項４】
請求項１から３の何れか一項に記載のメディア処理装置であって、
当該装置の外郭をなすケースは、少なくとも装置後面と装置上面が独立して取り外し可能であることを特徴とするメディア処理装置。
【請求項５】
請求項１から４の何れか一項に記載のメディア処理装置であって、
前記後方上部の区画と前記後方下部の区画との境界を構成する板状フレームに開口穴が設けられ、別の板状フレームにより前記開口穴が塞がれていることを特徴とするメディア処理装置。
【発明の詳細な説明】
【技術分野】
【０００１】
本発明は、ＣＤやＤＶＤ等の円板状のメディアにデータを書き込み、レーベル面に印刷を行って所望のメディアを提供することができるメディア処理装置に関するものである。
【背景技術】
【０００２】
従来、ＣＤやＤＶＤ等の円板状のメディアに対してデータの書き込みやレーベル印刷を行うメディア処理装置では、一般にブランクメディアスタッカに収納されているブランクメディアを、内蔵のメディアドライブに供給して所定のデータを書き込み、書き込み後のメディアにレーベルプリンタによりレーベル印刷を行って、メディアスタッカに保管したり、装置から取り出したりするように構成されている。
【０００３】
このようなメディア処理装置では、メディアドライブやレーベル印刷を行うレーベルプリンタ等を内包するケースを備えており、外部からの振動や埃等から内部機器を保護している（例えば非特許文献１，２参照）。
【０００４】
【非特許文献１】ＰＲＩＭＥＲＡ製品紹介ホームページ（http;//www.bbtus.com//bbtjp/hardware/primera.html）
【非特許文献２】ＴＥＡＣ製品紹介ホームページ（http;//www.tsc.teac.co.jp/02products/sys/wp45b/index.html）
【発明の開示】
【発明が解決しようとする課題】
【０００５】
ところで、メディア処理装置を使用していく際に、様々なメンテナンスを行う必要が生じる。例えば、ブランクメディアスタッカからメディアドライブにブランクメディアを供給してデータを書き込んだり、レーベルプリンタによりメディアのレーベル面に印刷を行うと、その分ブランクメディアスタッカ内のブランクメディアを補充する必要が生じる。また、レーベル印刷に用いられるインクを消費した場合には、インクカートリッジを新規のものと交換する必要がある。このようなメンテナンスは、メディア処理装置の使用頻度に応じて行う必要があり、ユーザ自身が行うものである。一方、機器の故障が生じないようにするための点検や、万が一故障が生じた場合の作業は、ユーザでは対応できず、プロのサービスマンにメンテナンスを依頼することになる。このようなメンテナンスは、一般には頻繁に行うものではない。したがって、ユーザが行うメンテナンスは、例えば、メディア処理装置を移動させたり、ケースを取り外したりする等の、面倒な作業はできるだけ避けたいという要望がある。また、サービスマンによるメンテナンス作業を行う場合にも、メディア処理装置を全体的に分解する等の煩雑な作業は極力避ける方が望ましい。
【０００６】
そこで、本発明の目的は、メンテナンス性に優れた構造のメディア処理装置を提供することにある。
【課題を解決するための手段】
【０００７】
上記課題を解決することのできる本発明に係るメディア処理装置は、円板状のメディアを保管するメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構と、前記レーベルプリンタにインクを供給するインク供給機構と、を有するメディア処理装置であって、当該装置の内部が、複数の板状フレームにより覆われるとともに複数に区画され、前記レーベルプリンタは、当該装置の後方下部の区画に配置され、前記メディアドライブは、当該装置の後方上部の区画に配置され、前記インク供給機構と前記メディア保管部が、当該装置の前方の区画に配置されていることを特徴とする。
【０００８】
このように構成されたメディア処理装置においては、装置の内部が、複数の板状フレームにより覆われるとともに複数に区画されているため、装置内の何れかの機器をメンテナンスする場合には、その機器が配置された区画を覆う板状フレームを取り外して、その機器を修理あるいは交換することが可能である。そして、プロメンテナンスが必要なメディアドライブとレーベルプリンタを装置後方に配置し、ユーザメンテナンスを行うインク供給機構とメディア保管部を装置前方に配置しているため、通常のユーザメンテナンスは装置前方側から容易に作業を行うことができ、比較的に頻度が低いプロメンテナンスが必要な場合のみ装置後方側から作業を行えば良いため、全体的にメンテナンス性が良好である。
さらに、プロメンテナンスにおいて、当該装置内の機器で比較的不具合の生じやすいメディアドライブは、当該装置の後方上部の区画に配置されているため、装置後面のフレームを取り外して装置後面を開放するか、または装置後面及び上面のフレームを取り外して装置後面及び上面を開放することで、メディアドライブの交換作業等が行いやすく、メンテナンス性が良好である。また、廃液処理などでメディアドライブに次いでプロメンテナンス頻度の高いレーベルプリンタは、装置後面のフレームを取り外すことで廃液タンクの交換作業などを行うことができる。
【０００９】
また、本発明に係るメディア処理装置において、前記インク供給機構と前記メディア保管部は、それぞれ別の区画に配置されており、当該装置の前面には、前記インク供給機構用の開閉扉と、前記メディア保管部用の開閉扉が設けられていることが好ましい。
【００１０】
このように構成されたメディア処理装置においては、インク供給機構とメディア保管部を装置前方の別区画に配置し、それぞれに開閉扉を設けているため、それぞれのメンテナンスを独立して行うことができる。インク供給機構用の開閉扉を開ければ、インクカートリッジの交換が容易に行え、メディア保管部用の開閉扉を開ければ、ブランクメディアの補給や処理済メディアの取り出しが容易に行える。
【００１１】
また、本発明に係るメディア処理装置において、前記メディアドライブが配置された区画内には、電源部と冷却ファンが配置されていることが好ましい。
【００１２】
このように構成されたメディア処理装置においては、レーベルプリンタよりも稼動スペースが小さくなるメディアドライブを配置した区画内に、装置の電源部や放熱用の冷却ファンを配置したので、装置内のスペースを有効に利用して装置全体の小型化を図ることができる。また、冷却ファンが装置の上部に位置することになるため、装置内の冷却効率が良好である。
【００１３】
また、本発明に係るメディア処理装置において、当該装置の外郭をなすケースは、少なくとも装置後面と装置上面が独立して取り外し可能であることが好ましい。
【００１４】
このように構成されたメディア処理装置においては、装置後面と装置上面のケースが独立して取り外し可能であるため、例えば、後方上部に設けられているメディアドライブのメンテナンスを行う際には、ケースの後面と上面の少なくとも一方を外し、後面あるいは後面上部のフレームや、上面あるいは後方上面のフレームを取り外すだけでメディアドライブを露出させることができる。このため、メンテナンスする際に取り外す部位が少なくて済み、メンテナンス性が良好である。
【００１５】
また、本発明に係るメディア処理装置において、前記後方上部の区画と前記後方下部の区画との境界を構成する板状フレームに開口穴が設けられ、別の板状フレームにより前記開口穴が塞がれていることが好ましい。
【００１６】
このように構成されたメディア処理装置においては、当該装置の後方下部の区画に配置されたレーベルプリンタをメンテナンスする際に、後方上部の区画と後方下部の区画との境界を構成する板状フレームを取り外す必要がなく、開口穴を塞ぐ別の板状フレームを取り外すことで、後方上部の区画から後方下部の区画にアクセスすることが可能となる。
【発明を実施するための最良の形態】
【００１７】
以下、本発明に係るメディア処理装置の実施形態の例を、図面に基づいて説明する。
図１はメディア処理装置の外観斜視図、図２（Ａ）はメディア処理装置の上半分の区画を示す平面模式図、（Ｂ）は下半分の区画を示す平面模式図、図３は装置ケースを外し開閉扉を開けた状態を示す前方から見た斜視図、図４は後面のフレームを外したメディア処理装置を後方から見た背面図、図５は各フレームを取り外した状態を示す斜視図、図６はメディア処理装置のケース及びフレームを外した状態の前方側の斜視図、図７はメディア処理装置のケース及びフレームを外した状態の後方側の斜視図、図８はメディア処理装置に設置されたレーベルプリンタ及びインク供給機構の斜視図である。
【００１８】
まず、本実施形態のメディア処理装置の全体構成について説明する。
図１から図４に示すように、メディア処理装置１は、ＣＤやＤＶＤ等の円板状のメディアヘのデータの書き込みやメディアのレーベル面への印刷を行うメディア処理装置（ディスクパブリッシャ）であり、全体的にほぼ直方体形状のケース２を備えている。このケース２の前面には、左右に開閉可能な開閉扉３,４が取り付けられている。ケース２の前面上側右端部には、表示ランプ、操作ボタンなどが配列された操作面５が設けられており、また、ケース２の下端には、メディア排出口６が設けられている。開閉扉３には、透光性を有する窓部が設けられ、外側から装置内部の状況を視認することが可能である。ケース２は、装置上面、装置側面、装置後面がそれぞれ独立しており、個別に取り外し及び取り付けが可能である。
【００１９】
正面視右側（装置左側）の開閉扉３は、未使用のブランクメディアＭＡをセットする時あるいは作成済みメディアＭＢを取り出す時に開閉する。
また、正面視左側（装置右側）の開閉扉４は、レーベルプリンタ１１のインクカートリッジ１２の入れ換え時に開閉するためのものであり、この開閉扉４を開けると、鉛直方向に配列された複数のカートリッジホルダ１３を有するカートリッジ装着部１４（図３参照）が露出するようになっている。なお、カートリッジ装着部１４は、レーベルプリンタ１１のインクジェットヘッド６１（図８参照）にインクを供給するインク供給機構７１の一部を構成している。
【００２０】
図２に示すように、メディア処理装置１は、その内部が、複数の板状フレーム（図５参照：ベースフレーム７２，左サイドフレーム２ａ，右サイドフレーム２ｂ，前トップフレーム２ｃ，後トップフレーム２ｄ，バックフレーム２ｅ，後方上下の仕切りフレーム２ｆ，前後の仕切りフレーム２ｇ）により覆われるとともに複数に区画されており、大別すると、後方上部の区画Ａ１、後方下部の区画Ａ２、前方右部の区画Ａ３、前方左部の区画Ａ４に区画されている。後方上部の区画Ａ１には、メディアにデータの書き込みを行うメディアドライブ５１が配置され、後方下部の区画Ａ２には、メディアのレーベル面に印刷を行うレーベルプリンタ１１が配置され、前方右部の区画Ａ３には、カートリッジ装着部１４を有するインク供給機構７１が配置され、前方左部の区画Ａ４には、メディアを保管するメディア保管部２１，２２が配置されている。
【００２１】
図３に示すように、メディア処理装置１のケース２の内部において、前方左部の区画Ａ４には、データ書き込み処理が行われていない複数枚の未使用のブランクメディアＭＡをスタック可能なメディアスタッカとしてのブランクメディア保管部２１と、作成済みメディアＭＢが保管されるメディアスタッカとしての作成済みメディア保管部２２が同軸状態で上下に配置されている。
【００２２】
ブランクメディア保管部２１は、左右一対の円弧状の枠板２４，２５を備えており、これらにより、ブランクメディアＭＡを上側から受け入れ、同軸に積層した状態で収納可能なスタッカが構成されている。ブランクメディア保管部２１にブランクメディアＭＡを収納あるいは補充する作業は、開閉扉３を開けてスタッカを取り外すことにより、簡単に行うことが可能となっている。
【００２３】
下側の作成済みメディア保管部２２もブランクメディア保管部２１と同一構造となっており、左右一対の円弧状の枠板２７，２８とを備えており、これらによって、作成済みメディアＭＢを上側から受け入れ、同軸に積層した状態で収納可能なスタッカが構成されている。
【００２４】
また、メディア排出口６に排出された場合は開閉扉３を閉じたまま作成済みメディア保管部２２に収容されている作成済みメディアＭＢ(すなわち、データの書き込み、及びレーベル面印刷が終了したメディア)を容易に取り出すことができるようになっている。
【００２５】
なお、作成済みメディア保管部２２のメディアスタッカを、ブランクメディア保管部として使用することもできる。その場合、作成済みメディアはメディア排出口６に排出すればよい。
【００２６】
このように、メディア保管部２１，２２は、メディアの使用状況によりブランクメディアＭＡを補充したり作成済みメディアＭＢを取り出したりする等、ユーザがメンテナンスを行う箇所であり、その作業は、装置前面の開閉扉３を開くことで容易に行うことができる。
【００２７】
また、後述するレーベルプリンタ１１のメディアトレイ１５のメディア受け渡し位置の下方には、例えば廃棄用メディアＭＤや作成済みメディアＭＢを一時的に保管するための廃棄用スタッカ５２（図６参照）が配置されており、この廃棄用スタッカ５２には、例えば３０枚程度の廃棄用メディアＭＤ等が保管可能とされている。メディアトレイ１５が廃棄用スタッカ５２の上方のメディア受け渡し位置から印刷位置へ退避した状態（図６及び図７に示す状態）にてメディア搬送機構３１の搬送アーム３６により、廃棄用メディアＭＤ等を廃棄用スタッカ５２に供給可能となっている。
【００２８】
一方、図２及び図３に示すように、メディア処理装置１のケース２内部の前部左側には、インク供給機構７１が配置されている。
インク供給機構７１はレーベルプリンタ１１に各色(本実施形態ではブラック、シアン、マゼンタ、イエロー、ライトシアン、ライトマゼンタの６色)のインクを供給するものであり、インクカートリッジ１２が装着されるカートリッジ装着部１４を有している。カートリッジ装着部１４は、インクカートリッジ１２を保持するカートリッジホルダ１３が積層されており、メディア処理装置１のベースフレーム７２上に立設されて鉛直方向に配設されている。このインク供給機構７１には、可擁性を有するインク供給チューブ７３（図８参照）の一端が接続されており、このインク供給チューブ７３の他端は、レーベルプリンタ１１のキャリッジ６２に接続されている。
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。
【００２９】
なお、インク供給機構７１には、その上部に、加圧機構７４が設けられており、この加圧機構７４は、インクカートリッジ１２内を加圧し、インクカートリッジ１２内のインクパックに貯留しているインクを送り出す。
【００３０】
このように、メディア保管部２１，２２やインク供給機構７１等、頻繁にメンテナンスを行う機器をメディア処理装置１の前側に配置するので、ユーザは容易かつ頻繁にメディア保管部２１，２２にメディアを供給したり、レーベル印刷用のインクが収容されたインクカートリッジ１２の交換を行ったりすることができる。すなわち、メディア保管部２１，２２がメディア処理装置１の前方右部の区画Ａ３に配置され、インク供給機構７１が前方左部の区画Ａ４に配置されているので、開閉扉３，４を開けることにより、それぞれ容易にメンテナンスを行うことができる。
【００３１】
なお、図２及び図６に示すように、前述したブランクメディア保管部２１及び作成済みメディア保管部２２の後側には、メディア搬送機構３１が配置されている。図６に示すように、メディア搬送機構３１は、ベースフレーム７２と前トップフレーム２ｃに垂直に架け渡されている垂直ガイド軸３５と、この垂直ガイド軸３５に取り付けた搬送アーム３６とを備えている。搬送アーム３６は、駆動モータ３７によって垂直ガイド軸３５に沿って昇降可能であるとともに、垂直ガイド軸３５を中心に左右に旋回可能である。搬送アーム３６の下面には、先端にグリッピング機構（図示省略）が設けられており、ＣＤ等のメディアの搬送の際にはメディアの中心孔を把持するようになっている。
【００３２】
このようなメディア搬送機構３１により、ＣＤあるいはＤＶＤであるメディアは、ブランクメディア保管部２１、作成済みメディア保管部２２、廃棄用スタッカ５２、メディアドライブ５１のメディアトレイ５１ａ及びレーベルプリンタ１１のメディアトレイ１５間を搬送されることになる。
【００３３】
図２及び図７に示すように、メディア処理装置１の後方下部の区画Ａ２には、レーベルプリンタ１１が配置され、レーベルプリンタ１１の上（後方上部の区画Ａ１）には上下に積層された２つのメディアドライブ５１が配置されている。
【００３４】
図２から図６に示すように、メディア処理装置１の内部の後方下部の区画Ａ２に設けられているレーベルプリンタ１１は、メディアのレーベル面へのレーベル印刷可能な位置とメディアの受け取り及び受け渡しを行うメディア受け渡し位置との間を移動可能なメディアトレイ１５を有している。なお、図６及び図７では、レーベルプリンタ１１のメディアトレイ１５が奥側のレーベル印刷可能位置にある状態が示されている。メディアトレイ１５には、矩形の板の上面に、メディアの外周端面と当接してメディアの移動を規制するための円形の低い凸部１５ａが設けられている。
【００３５】
図８に示すように、レーベルプリンタ１１はインクジェットヘッド６１を有するキャリッジ６２を備えており、このキャリッジ６２は、キャリッジガイド軸６３（図７参照）に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００３６】
キャリッジ６２に搭載されているインクジェットヘッド６１は、そのノズル面が下向きとされており、インクジェットヘッド６１の下側位置を、前後方向に水平にメディアトレイ１５が往復移動可能となっている。メディアトレイ１５は、その右側の端が、前後方向に水平に延びるガイド軸６６によって支持され、その左側の端が、スライド可能な状態で、前後方向に水平に延びるガイドレール６７によって支持されている。このメディアトレイ１５の駆動機構も、前後方向に水平に架け渡した図示しないタイミングベルトと、これを駆動するためのトレイモータとを備えた構成となっている。
【００３７】
また、キャリッジ６２のホームポジション(図８に示す位置)における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。
【００３８】
そして、このインク吸引機構８１の廃インク吸引ポンプ８３によって吸引された廃インクは、チューブ８４を介して、廃インク吸収タンク８５へ送り込まれる。この廃インク吸収タンク８５は、ケース８６内に図示しない吸収材を配設したもので、その上面は、複数の孔部８７を有するカバー８８によって覆われている。なお、廃インク吸引機構８１の下方には、廃インク吸収タンク８５の一部である廃インク受け部８９が設けられ、廃インク吸引機構８１から滴下した廃インクを受け止め、吸収材によって吸収するようになっている。
【００３９】
メディアをメディアトレイ１５の凸部１５ａに保持し、図示せぬトレイモータを駆動して、メディアトレイ１５をガイド軸６６に沿って後側に移動させ、インクジェットヘッド６１の印刷領域内まで移動させることができる。この後は、インクジェットヘッド６１によって、メディアのレーベル面に所定の印刷を施すことができる。印刷後、メディアトレイ１５はレーベルプリンタ１１の前方側のメディア受け渡し位置に位置することになる。
なお、廃インク吸収タンク８５は、インクジェットヘッド６１の印刷領域における下方位置にも配置されており、インクジェットヘッド６１から滴下したインク液が廃インク吸収タンク８５によって受け止められるようになっている。
【００４０】
また、図２及び図４から図７に示すように、メディア処理装置１のケース２内部の後方上部の区画Ａ１には、上下２段のメディアドライブ５１，５１が設けられている。各メディアドライブ５１は、メディアヘのデータ書き込み位置とメディアの受け取り及び受け渡しを行うメディア受け渡し位置との間を移動可能なメディアトレイ５１ａをそれぞれ有している。図６及び図７では、上側のメディアドライブ５１のメディアトレイ５１ａが手前に引き出されてメディア受け渡し位置にある状態が示されている。
【００４１】
レーベルプリンタ１１及びメディアドライブ５１は、メンテナンスの頻度が低く、故障が生じないようにするための点検や、故障が生じた場合の作業をプロのサービスマンが行うものであり、一般にユーザはメンテナンスを行うことがない。上記のように、レーベルプリンタ１１は後方下部の区画Ａ２に配置され、メディアドライブ５１は後方上部の区画Ａ１に配置されているため、プロメンテナンスを行う場合には、装置後面のバックフレーム２ｅを取り外して装置後面を開放するか、またはバックフレーム２ｅ及び後トップフレーム２ｄを取り外して装置後面及び上面を開放することで、メディアドライブ５１の交換作業等が行いやすく、メンテナンス性が良好である。また、廃液処理などでメディアドライブ５１に次いでプロメンテナンス頻度の高いレーベルプリンタ１１は、装置後面のバックフレーム２ｅを取り外すことで廃インク吸収タンク８５の交換作業などを行うことができる。
【００４２】
このように構成されたメディア処理装置１は、平置きしたベースフレーム７２の上に、左サイドフレーム２ａ、右サイドフレーム２ｂ、バックフレーム２ｅを立設してねじ等により固定して取り付け、その上面に前トップフレーム２ｃと後トップフレーム２ｄをねじ等により固定して取り付けている。また、後方を上下に仕切る仕切りフレーム２ｆと、上部を前後に仕切る仕切りフレーム２ｇが設けられている。なお、仕切りフレーム２ｆと仕切りフレーム２ｇは、一体的に形成されている。各フレームはそれぞれ個別に取り外し及び取り付けが可能であり、装置の外郭をなすケース２も、装置上面、装置側面、装置後面を個別に取り外し及び取り付けが可能である。また、装置前面には開閉扉３，４が取り付けられている。
【００４３】
これらのフレーム構成により、装置内部は、後方上部の区画Ａ１、後方下部の区画Ａ２、前方右部の区画Ａ３、前方左部の区画Ａ４に区画されている。そして、後方上部の区画Ａ１には、メディアにデータの書き込みを行うメディアドライブ５１が配置され、後方下部の区画Ａ２には、メディアのレーベル面に印刷を行うレーベルプリンタ１１が配置され、前方右部の区画Ａ３には、カートリッジ装着部１４を有するインク供給機構７１が配置され、前方左部の区画Ａ４には、メディアを保管するメディア保管部２１，２２が配置されている。
【００４４】
したがって、メディア処理装置１内の何れかの機器をメンテナンスする場合には、その機器が配置された区画を覆う板状フレームを取り外して、その機器を修理あるいは交換することが可能である。そして、プロメンテナンスが必要なメディアドライブ５１とレーベルプリンタ１１を装置後方に配置し、ユーザメンテナンスを行うインク供給機構７１とメディア保管部２１，２２を装置前方に配置しているため、通常のユーザメンテナンスは開閉扉３，４を開けることで装置前方側から容易に作業を行うことができ、比較的に頻度が低いプロメンテナンスが必要な場合のみ装置後方側から作業を行えば良いため、全体的にメンテナンス性が良好である。
【００４５】
また、後方上部の区画Ａ１に設けられているメディアドライブ５１は、レーベルプリンタ１１と比較して幅方向の寸法が小さいため、メディアドライブ５１の横に電源部５５や放熱用の冷却ファン５４、制御基板５６等を配置している（図２及び図４参照）。これにより、メディア処理装置１内のスペースを有効に利用して装置全体の小型化を図ることができる。また、冷却ファン５４が装置の上部に位置することになるため、装置内の冷却効率が良好である。
【００４６】
なお、仕切りフレーム２ｆには開口穴２ｆｂが設けられており、通常はカバーフレーム２ｆａにより塞がれている。後方下部の区画Ａ２に位置するインクジェットヘッド６１を交換する場合は、後方上部の区画Ａ１に位置するメディアドライブ５１、電源５５等を外した後、カバーフレーム２ｆａを取り外すことにより、キャリッジ６２に搭載されているインクジェットヘッドユニット６１ａを露出させ、上からねじ６１ｂを外すことにより容易にインクジェットヘッドユニット６１ａ及びそれに搭載されているインクジェットヘッド６１を交換することが可能である。
【００４７】
なお、上記の実施形態においては、ケース２内の前方左側にメディア保管部２１，２２を配置し、前方右側にインク供給機構７１を配置したが、これとは逆に、前方右側にメディア保管部２０を配置し、前方左側にインク供給機構７１を配置しても良い。
【図面の簡単な説明】
【００４８】
【図１】本発明に係るメディア処理装置の実施の形態の一例を示す外観斜視図である。
【図２】（Ａ）はメディア処理装置の上半分の区画を示す平面模式図、（Ｂ）は下半分の区画を示す平面模式図である。
【図３】装置ケースを外して開閉扉を開けた状態を示す前方から見た斜視図である。
【図４】後面のフレームを外したメディア処理装置を後方から見た背面図である。
【図５】各フレームを取り外した状態を示す斜視図である。
【図６】メディア処理装置のケース及びフレームを外した状態の前方側の斜視図である。
【図７】メディア処理装置のケース及びフレームを外した状態の後方側の斜視図である。
【図８】メディア処理装置に設置されたレーベルプリンタ及びインク供給機構の斜視図である。
【図９】メディアドライブ、冷却ファン、電源部、制御基板を取り外した平面説明図である。
【符号の説明】
【００４９】
１…メディア処理装置、２ａ…左サイドフレーム、２ｂ…右サイドフレーム、２ｃ…前トップフレーム、２ｄ…後トップフレーム、２ｅ…バックフレーム、２ｆ…後方上下の仕切りフレーム、２ｇ…前後の仕切りフレーム、１１…レーベルプリンタ、１２…インクカートリッジ、１３…カートリッジホルダ、２１…ブランクメディア保管部（メディア保管部）、２２…作成済みメディア保管部（メディア保管部）、３１…メディア搬送機構、３６…搬送アーム、５１…メディアドライブ、７１…インク供給機構、６１…インクジェットヘッド、Ａ１…後方上部の区画、Ａ２…後方下部の区画、Ａ３…前方右部の区画、Ａ４…前方左部の区画。
【図１】
2008108310.tif 000003
【図２】
2008108310.tif 000004
【図３】
2008108310.tif 000005
【図４】
2008108310.tif 000006
【図５】
2008108310.tif 000007
【図６】
2008108310.tif 000008
【図７】
2008108310.tif 000009
【図８】
2008108310.tif 000010
【図９】
2008108310.tif 000011